(57)【要約】【課題】  従来の携帯電話等の日本語入力装置では画面へのかな表示に１〜５回、多くて６回以上の入力キー押し下げが必要であり表示入力に時間もかかる。入力するかなが表示されても誤って同一キーが押され次のかな表示に移ると、再度最初から順次繰り返す必要がある。アルファベット入力にも同じ問題がある。【解決手段】  本発明は、かな、アルファベット表示を原則２回のキー押し下げで可能とする。かな行キーあるいはアルファベットキー（１）〜（１４）が押された直後にそれら入力キーと共有する原則数値１〜５の母音列を示す数値キー（１）〜（５）が押されればこれらの表示入力がされる。かな、アルファベットをそれらと数値を組み合わせたユニットとして表すシステムでこれが可能となる。入力キーが横３行縦５列に配置されるとこの入力がより容易となる。【選択図】  図１
2006217557.tif 000002
【特許請求の範囲】
【請求項１】
携帯電話、固定電話やコンピュータキーボードでの日本語の「かな」表示入力が、いずれかのかな行入力キーが押され、次いでかな入力キーと共有する数値入力キーが押されることによって、最初のかな行キー押し下げと次の数値キー押し下げが１つのユニットとして組み込まれたシステムによって行われる入力装置。「かな」には撥音、促音、拗音、濁点、半濁点、長音、読点、句点、その他通常日本語表記に用いる記号を含む。
【請求項２】
携帯電話、固定電話やパソコンキーボードでのアルファベット表示入力が、アルファベット２字共有キーのいずれかが押され、次いでかな、アルファベット入力キーと共有する数値入力キーが押されることによって、最初のアルファベットキー押し下げと次の数値キー押し下げが１つのユニットとして組み込まれたシステムによって行われる入力装置。アルファベットにはコンマ、ピリオド、クエスチョンマーク、その他の英字記号を含む。
【請求項３】
携帯電話、固定電話やパソコンキーボードの入力キーが横３行縦５列として配列され、あ行キー（１）からな行キー（５）が左縦１行、は行キー（６）からわ行キー（１０）が中央縦１行、濁点キー（１１）、記号キー（１３）、括弧キー（１３）、絵文字キー（１４）、入力モードキー（１５）が右縦１行に配置される入力装置。
【請求項４】
数値、かな行、アルファベットのキーが次のように共有される入力装置。１とあ行とＡＢ（１）、２とか行とＣＤ（２）、３とさ行とＥＦ（３）、４とた行とＧＨ（４）、５とな行とＩＪ（５），６とは行とＫＬ（６）、７とま行とＭＮ（７）、８とや行とＯＰ（８），９とら行とＱＲ（９）、０とわ行とＳＴ（１０）、濁点等とＵＶ（１１）、？などの日本語記号とＷＸ（１２）、括弧などとＹＺ（１３）、絵とアルファベットのコンマ等（１４）が共有される。
【請求項５】
最初にかな行ないしはアルファベット入力キーが押されるとディスプレイ画面（１８）にそのキーに割り当てられたすべてのかな、アルファベット、記号等が頭に当該数値をつけて表示される装置。
【発明の詳細な説明】
【技術分野】
【０００１】  本発明は、かなおよびアルファベットを、かなでは五十音表のかな行と母音列を表す数値の組み合わせで、アルファベットではアルファベット２字共有キーと数値の組み合わせで表示されるシステムを採用することによって、表示入力時間を短縮し、かつ容易な入力を可能にする携帯電話、固定電話およびコンピュータキーボードの日本語とアルファベット表示入力装置に関するものである。
【背景技術】
【０００２】  従来の携帯電話の日本語表示入力では一つの入力キーに五十音表の各行５列の５字、例えばか行ではか、き、く、け、こ５字のひらかな、および１部の行では加えて促音や拗音が割り当てられ、キーが１回押される度に順次その行の次の列のかなが表示される。例えばた行キー１回で「た」、２回で「ち」、３回で「つ」、４回で「て」、５回で「と」、６回で「っ」の順に表示される。表記したいかなが表示されたところで次に表記したいかなの属する行のキーに移り、ディスプレイ画面でかなないしは単語のかな表示が完成したところで確定キーが押されるとそのままかなが表記入力される。漢字を表記する場合にはかな表示後に漢字選択用のキーが押される度に順次表示される漢字ないしは頭に数値を付して列記される漢字がキーで選択され確定キーで確定されて表記と入力がされる方式となっている。カタカナ入力も同様である。かな入力キーはおおむねあ行からさ行が入力面の横第１列、た行からは行が第２列、ま行からら行が第３列、わ行と「を」および撥音「ん」の入力キー、濁点、半濁点等の入力キーおよび句読点および記号の入力キーが第４列という縦３行横４列の配列となっている。【０００３】  コンピュータキーボードでは、アルファベットすべての入力キーが配置されローマ字入力によってかな入力および漢字変換が行われるか、すべてのかなの入力キーを配置してかな入力、漢字変換が行われる方式が主流である。【０００４】  アルファベットの入力方式については、携帯電話では１つのアルファベット入力キーが何回か押されるとそのキーに配分されたアルファベットが順次表示されるが、表記入力したいアルファベットが画面に表示されたところで次に表記入力したいキーへ移ってそれが押されると自動的に確定される方式である。コンピュータキーボードでは通常アルファベットそれそれが１つの入力キーに配分されている。
【発明の開示】
【発明が解決しようとする課題】
【０００５】  従来の携帯電話日本語入力では次のような問題があった。表記したいかなをディスプレイ画面に表示させるためにキーが押される回数は通常数回となる。１回で済むのは「あ」、「か」など五十音の第１行目のかなで、「い」や「き」など五十音第２列目は２回、「う」や「く」など３列目は３回、４列目は４回、５列目は５回、それ以外は６回以上になる。また、表記したいかなからそのかな行の次の列のかな表示へ誤って移ってしまうと、最新の一部の機種を除いて前のかなへ戻ることができないため、そのキーに属するかなを順次すべて表示させたうえでまた最初に戻ってから表記したいかなまでキーが押されなければならない。この場合にはかなりの回数となる。カタカナ、濁点、半濁点、句読点等の表示にも同様の問題がある。入力にはさらに確定キーや単語選択キーが押される。【０００６】  アルファベット入力では通常１つのキーにアルファベット３字が割り当てられ、キーが押されることによって小文字、大文字の６字が順次表示入力されるが、日本語入力と同様表記したいアルファベットを表示入力するためにキーが押される回数は多い。１回で済むのはそのキーに割り当てられたアルファベットの最初の１字の小文字で、２回で済むのはそのキーの２番目のアルファベットの小文字、それ以外は３回以上となる。誤って次の順の表示に移ってしまった場合には最新の一部機種を除いて前に戻れないというかな表示同様の問題があり同一のキーが押される回数が多くなる。【０００７】  コンピュータキーボード入力ではかな入力では４４以上、アルファベット入力では２６以上の入力キーがある。入力ではその位置を覚えるか、その都度さがさなければならず、ある程度の訓練が必要である。
【課題を解決するための手段】
【０００８】  日本語およびアルファベット入力方式を変え、入力キーへの割り当てを変更することによってこの課題が解決され、入力キーが２回押されるのみで日本語では「あ」から「ん」までのすべてのかな、拗音、濁点、半濁点、句読点等、アルファベットではすべての大小英字およびコンマ、ピリオドなどを含めてディスプレイへの表示が可能となる。すなわち日本語では最初に表記入力したいかなの五十音のかな行のキーが押され、引き続きそのかな行の母音列の列数を示す数値キーが押されればそのかながディスプレイ画面に表示される。例えば「あ」であればあ行キー（１）に次いで数値の１（１）、「む」であればま行キー（７）に次いで数値の３（３）という手段である。拗音、撥音、濁点、半濁点、句読点等も同様に入力キー２回の操作で表示ができる。【０００９】  アルファベットでも複数のアルファベットが割り当てられたキーが最初に押され、次いでディスプレイ（１８）に数値とともに表記されたアルファベットのうち入力したい英字の頭に表示される数値と同じ数値キーが押されれば表示される。【００１０】  コンピュータキーボードもこの方式を組み込んた装置を用いることによって携帯電話と同様の少ない入力キーで日本語およびアルファベットの表示入力が可能となる。
【発明を実施するための最良の形態】
【００１１】  以下、本発明の実施の形態を説明する。
入力キーへの文字および数値等の割り当てと入力キーの配置は以下のようにする。
（イ）携帯電話の入力キー１０個に、あ行からわ行のひらかなまたはカタカナ各行を入力するキーが割り振られる。
（ロ）あ行には拗音としてのぁ、ぃ、ぅ、ぇ、ぉがこの順に「お」の次に割り振られる。
（ハ）た行には促音の「っ」が「と」の後に割り振られる。
（ニ）や行には拗音のゃ、ヰ、ゅ、ぇ、ょが「よ」のあとにこの順に割り振られる。
（ホ）わ行の列にはわ、ゐ、う、ゑ、を、拗音のわ、撥音んがこの順に割り振られる。
（ヘ）ひらかなとカタカナの行は共通とする。
（ト）濁点、半濁点、長音、読点、句点がこの順に表示入力される濁点キーを１個設ける。
（チ）？、！、・、＿がこの順に表示入力される記号キーを設ける。
（リ）（、）、「、」、《、》、『、』、
【、】
などがこの順に表示入力される括弧キーを設ける。
（ヌ）あ行からな行までの入力キーが左の最上列キー（１）から最下列キー（５）まで縦５列に、は行からわ行までの入力キーが中央最上列キー（６）から最下列キー（１０）まで縦５列に、濁点キーから入力モードキーまでの入力キーが右最上列キー（１１）から最下列キー（１５）まで縦５列に配置される。
（ル）数字の１から５までの入力キーが左のあ行（１）からな行（５）のキーと共通としてこの順に、６から９を経て０の入力キーが中央のは行（６）からわ行（１０）のキーと共通としてこの順に割り振られる。
（ヲ）かなを表示するかな行と数値のユニットの数値１０は数値０が代行する。
（ワ）右縦５列には、濁音キー（１１）、記号キー（１２）、括弧キー（１３）、絵文字キー（１４）、ひらかな、カタカナ、アルファベット数値の入力モードキー（１５）が割り振られる。
（カ）アルファベット入力キーはあ行キー（１）から縦に順にアルファベット２字ずつの小文字、大文字の計４字が１つのキーに割り振られる。すなわちａ、ｂ、Ａ、Ｂが数値１のキー（１）に割り振られ、第３行第３列の記号キー（１３）にはアルファベット最後のｙ、ｚ、Ｙ、Ｚとなるように順次割り振られる。絵キー（１４）のアルファベット入力モードではコンマ、ピリオド、クエスチョンマーク、アポストロフィー、ハイフォン、ダッシュ、コーテーションマーク、パーセント、アンダーバー、＠が割り振られる。
（ヨ）その他のキーは当申請の発明には含まず、従来のそれぞれの機種の装置を踏襲する。
（タ）かな入力モードであ行キー（１）から括弧キー（１３）が押された時には画面にそのキーに割り振られたすべてのかな、記号が、アルファベット入力モードでは英字が、それらに割り当てられた列に相当する数値が頭に付されて表示される。
本発明は以上の構成よりなる。
【００１２】  本発明を日本語入力装置として使用する場合は、入力モードキー（１５）でかな入力とし、まずあ行キー（１）から括弧キー（１３）のいずれかを押し、次いですぐに母音列に相当する多くの場合は１（１）から５（５）の数値キーを押す。キーによっては数値０までを押すこともある。かな行キーが１回押されると次は数値入力になるように設定されるプログラムによってそれぞれのかな等がかな行と数値の１つのユニットとして組み込まれている。アルファベット入力では入力モードキー（１５）を押してアルファベット入力モードに切り替え、まず英字２字すつ小文字大文字計４字が組み合わされたキーを、次いで画面に表示されたアルファベットの頭に付された入力したい文字に該当する数値の数値キーを押す。
このように、文字キー（１）〜（１４）のいずれか１回とそれに続いて数値キー（１）〜（０）のいずれかが１回押されるとそれが１つのユニットとなっており、かなまたはアルファベットがディスプレイ画面（１８）に表示される。日本語の場合は１字につきキー２回ずつが押されてかなの語が表記された後、そのまま確定する場合は確定キー（１６）を押し、同音意義語を選択する場合は単語変換キー（１７）で頭に該当数値が付された語をディスプレイ（１８）に表示させ、該当する数値キーを押すことによって入力する漢字を確定する。アルファベットでは確定キーを押さずとも次のアルファベットキーが押されると前の文字が確定される。
具体例な入力例として「特許」を表示入力する手順を示す。入力モードがかなになっていることを確認した後、まず（４）のた行キーを押す。するとディスプレイ（１８）に「１た」、「２ち」、「３つ」、「４て」、「５と」、「６っ」が表示される。これを確認、あるいは確認せずに数値５を入力する（５）の数値キーを押すと、一つのユニットとして画面に未確定を示す「と」にアンダーラインが引かれたかな「と」が表示される。次に（４）のた行キーを押し、前と同様の画面を確認あるいは確認せずに６を入力する（６）の数値キーを押すと、かな行と数値からなる１つのユニットである「っ」にアンダーラインが引かれた未確定の「っ」が表示される。さらに（２）のか行キーを押すと画面に「１か」、「２き」、「３く」、「４け」、「５こ」が表示され、次いで２を入力する（２）の数値キーを押すとアンダーラインのついた「き」が画面に表示される。最後に（８）のや行キーに次いでこのユニットでは１０番目を意味する０を入力する（１０）の数値キーを押すと「ょ」が表示される。ここで（１７）の漢字選択キーが押されると、「１特許」、「２トッキョ」等が表示される。そして１を入力する（１）の数値キーが押されると「特許」が表示入力される。
【００１３】キー入力の方式、表示および確定に関するプログラムソフトはいくらでも考え得るので、当申請の発明とはしない。
【発明の効果】
本発明を使用することによって、すべてのひらかなやカタカナ、濁点、半濁点、句読点など日本語の表示が原則１字につき２回のキー操作によって可能となる。これによって、表示入力時間が従来の数分の一に短縮されるとともに、少し慣れれば表示画面を確認しなくてもブラインドタッチでの入力が可能となる。アルファベットの表示入力でも同様に２回のキー操作で可能となり、慣れれば表示される数値を見なくてもやはりブラインドタッチで入力できる。このことによって、コンピュータキーボードではアルファベット入力やかな入力に要する訓練の必要もなくなり、携帯電話、固定電話、コンピュータによる文字入力において初心者、指先の素早く細かい運動が劣る高齢者、手先の運動に不自由のある身体障害者、また視覚障害者が日本語やアルファベットを入力することが容易となる。
【図面の簡単な説明】
【図１】  本発明の正面図
【符号の説明】
（１）数値１、あ行、あ行の拗音、ａ、ｂ、Ａ、Ｂの入力キー  （２）数値２、か行、ｃ、ｄ、Ｃ、Ｄの入力キー  （３）数値３、さ行、ｅ、ｆ、Ｅ、Ｆの入力キー  （４）数値４、た行、促音、ｇ、ｈ、Ｇ、Ｈの入力キー  （５）数値５、な行、ｉ、ｊ、Ｉ、Ｊの入力キー  （６）数値６、は行、ｋ、ｌ、Ｋ、Ｌの入力キー  （７）数値７、ま行、ｍ、ｎ、Ｍ、Ｎの入力キー  （８）数値８、や行、や行の拗音、ｏ、ｐ、Ｏ、Ｐの入力キー  （９）数値９、ら行、ｑ、ｒ、Ｑ、Ｒの入力キー  （１０）数値０、わ行、わ行の拗音、撥音、ｓ、ｔ、Ｓ、Ｔの入力キー  （１１）＊、濁点、半濁点、長音、読点、句点、ｕ、ｖ、Ｕ、Ｖの入力キー  （１２）＃、日本語の？、！、・、＿などの記号、ｗ，ｘ、Ｗ、Ｘの入力キー  （１３）％、「、」、｛、｝などの日本語の括弧記号、ｙ、ｚ、Ｙ、Ｚの入力キー  （１４）￥、絵、アルファベットのコンマ、ピリオド、クエスチョンマーク、アポストロフィー、ハイフォン、ダッシュ、コーテーションマーク、パーセント、アンダーバー、＠の入力キー  （１５）ひらかな、カタカナ、アルファベット、数値の入力を変換する入力モードキー  （１６）単語確定キー  （１７）漢字選択キー  （１８）画面ディスプレイ
【図１】
2006217557.tif 000003